(57)【要約】【課題】  挟ピッチであっても極細線を確実に整列、保持することができる極細線用挟ピッチ整列治具を提供すること。【解決手段】  極細線用挟ピッチ整列治具１は、外径と軸方向の厚さとが互いに異なる円板状の第一大径シムリング（第一大径部）３及び第一小径シムリング（第一小径部）５と、第一大径シムリング３及び第一小径シムリング５が軸方向に交互に配される第一軸部６とを有する第一ローラ部７と、軸方向の厚さが第一大径シムリング３と略同一とされる円板状の第二小径シムリング８、及び、第二小径シムリング８と異なる外径とされるとともに軸方向の厚さが第一小径シムリング５と略同一とされる円板状の第二大径シムリング１０と、第一軸部６と略平行に配されて第二小径シムリング８及び第二大径シムリング１０が軸方向に交互に配された第二軸部１１とを有する第二ローラ部１２とを備えている。【選択図】  図２
2006156082.tif 000002
【特許請求の範囲】
【請求項１】
複数本の極細線を等間隔に整列させて保持する極細線用挟ピッチ整列治具であって、
外径と軸方向の厚さとが互いに異なる第一大径部及び第一小径部と、前記第一大径部及び前記第一小径部が軸方向に交互に配される第一軸部とを有する第一ローラ部と、
軸方向の厚さが前記第一大径部と略同一とされる第二小径部、及び、該第二小径部と異なる外径とされるとともに軸方向の厚さが前記第一小径部と略同一とされる第二大径部と、前記第一軸部と略平行に配されて前記第二小径部及び前記第二大径部が軸方向に交互に配された第二軸部とを有する第二ローラ部とを備え、
前記第一小径部と前記第二大径部との外周面が互いに対向して、前記第一ローラ部と前記第二ローラ部とが噛合可能とされていることを特徴とする極細線用挟ピッチ整列治具。
【請求項２】
前記第一小径部及び前記第二大径部の軸方向厚さが前記極細線の外径と略同一とされていることを特徴とする請求項１に記載の極細線用挟ピッチ整列治具。
【請求項３】
前記第一軸部に対して前記第一大径部及び前記第一小径部が同一軸線上に配され、
前記第二軸部に対して前記第二小径部及び前記第二大径部が同一軸線上に配され、
前記第一大径部の半径及び前記第一小径部の半径をそれぞれＲ１、Ｒ２とし、
前記第二小径部の半径及び前記第二大径部の半径をそれぞれＲ３、Ｒ４とするとき、
（Ｒ１−Ｒ２）と（Ｒ４―Ｒ３）との差が、前記極細線の外径と略同一とされていることを特徴とする請求項２に記載の極細線用挟ピッチ整列治具。
【請求項４】
前記第一大径部の中心軸線が、前記第一軸部の中心軸線から偏心して配され、
前記第二小径部の中心軸線が、前記第二軸部の中心軸線から偏心して配され、
前記第一大径部の半径、前記第一小径部の半径、前記第一大径部の前記第一軸部に対する偏心量をそれぞれＲ５、Ｒ２、ｄ１とし、
前記第二小径部の半径、前記第二大径部の半径、前記第二小径部の前記第二軸部に対する偏心量をそれぞれＲ６、Ｒ４、ｄ２とするとき、
（Ｒ５＋ｄ１−Ｒ２）と（Ｒ４―Ｒ６＋ｄ２）との差が、前記極細線の外径と略同一とされていることを特徴とする請求項２に記載の極細線用挟ピッチ整列治具。
【発明の詳細な説明】
【技術分野】
【０００１】
本発明は、複数本の極細線の端末部を回路基板等に一括して接続可能とするべく、複数本の極細線を挟ピッチで整列させて等間隔に保持する極細線用挟ピッチ整列治具に関する。
【背景技術】
【０００２】
端末部が搭載されるガイド上に厚さと幅とが互いに異なるシムを交互に並べて固定した極細線用挟ピッチ整列治具が提案されている（例えば、特許文献１参照。）。
図６に示すような従来の整列治具１０１は、複数本の極細線の端末部が搭載されるコ字状ガイド１０２と、ガイド１０２の凹溝１０３上に交互に並べられて固定され、互いに厚さと幅とが異なるシム１０４、１０５（金属板）と、整列させる極細線の径・ピッチ・本数に応じて区画形成するために凹溝１０３の空間部１０６に配されるブロック１０７と、ガイド１０２の一端に配され、ブロック１０７の側面を押圧して隣接するシム１０４、１０５間のギャップをなくして凹溝１０３上にシム１０４、１０５を固定するネジ１０８とを備えている。
【０００３】
しかしながら、上記従来の極細線用挟ピッチ整列治具は、シム１０４、１０５をネジ１０８で軸方向に押圧固定しているのみなので、シムを確実に固定することができず、極細線を整列させる際に、極細線の軸方向にシムの位置がずれたり、極細線自体のくせ、曲がり等によって発生するケーブルの乱れを確実に抑えることが困難である。
【特許文献１】特開２００３−７４１８号公報（第１図）
【発明の開示】
【発明が解決しようとする課題】
【０００４】
本発明は上記事情に鑑みて成されたものであり、挟ピッチであっても極細線を確実に整列、保持することができる極細線用挟ピッチ整列治具を提供することを目的とする。
【課題を解決するための手段】
【０００５】
本発明は、上記課題を解決するため、以下の手段を採用する。
本発明に係る複数本の極細線を等間隔に整列させて保持する極細線用挟ピッチ整列治具であって、外径と軸方向の厚さとが互いに異なる第一大径部及び第一小径部と、前記第一大径部及び前記第一小径部が軸方向に交互に配される第一軸部とを有する第一ローラ部と、軸方向の厚さが前記第一大径部と略同一とされる第二小径部、及び、該第二小径部と異なる外径とされるとともに軸方向の厚さが前記第一小径部と略同一とされる第二大径部と、前記第一軸部と略平行に配されて前記第二小径部及び前記第二大径部が軸方向に交互に配された第二軸部とを有する第二ローラ部とを備え、前記第一小径部と前記第二大径部との外周面が互いに対向して、前記第一ローラ部と前記第二ローラ部とが噛合可能とされていることを特徴とする。
【０００６】
この極細線用挟ピッチ整列治具は、前記第一小径部と前記第二大径部との外周面間に極細線を挿入することによって、第一ローラ部と第二ローラ部との間で極細線を好適に挟み込んで支持することができる。
【０００７】
また、本発明に係る極細線用挟ピッチ整列治具は、前記極細線用挟ピッチ整列治具であって、前記第一小径部及び前記第二大径部の軸方向厚さが前記極細線の外径と略同一とされていることを特徴とする。
【０００８】
この極細線用挟ピッチ整列治具は、第一小径部及び第二大径部の外周面間と、第一小径部を挟んで並ぶ第一大径部の側面間とで形成される空間部内に極細線を挟んで支持することができる。従って、第一軸部又は第二軸部に対する径方向の極細線の乱れのみならず、軸方向の乱れも抑えて整列させることができる。
【０００９】
また、本発明に係る極細線用挟ピッチ整列治具は、前記極細線用挟ピッチ整列治具であって、前記第一軸部に対して前記第一大径部及び前記第一小径部が同一軸線上に配され、前記第二軸部に対して前記第二小径部及び前記第二大径部が同一軸線上に配され、前記第一大径部の半径及び前記第一小径部の半径をそれぞれＲ１、Ｒ２とし、前記第二小径部の半径及び前記第二大径部の半径をそれぞれＲ３、Ｒ４とするとき、（Ｒ１−Ｒ２）と（Ｒ４―Ｒ３）との差が、前記極細線の外径と略同一とされていることを特徴とする。
【００１０】
この極細線用挟ピッチ整列治具は、第一小径部及び第二大径部の外周面間、第一小径部を挟んで並ぶ第一大径部の側面間をそれぞれ一定の隙間とすることができ、所定の外径を有する極細線の変形を抑え、無理な力をかけずに挟むことができる。
【００１１】
また、本発明に係る極細線用挟ピッチ整列治具は、前記極細線用挟ピッチ整列治具であって、前記第一大径部の中心軸線が、前記第一軸部の中心軸線から偏心して配され、
前記第二小径部の中心軸線が、前記第二軸部の中心軸線から偏心して配され、
前記第一大径部の半径、前記第一小径部の半径、前記第一大径部の前記第一軸部に対する偏心量をそれぞれＲ５、Ｒ２、ｄ１とし、前記第二小径部の半径、前記第二大径部の半径、前記第二小径部の前記第二軸部に対する偏心量をそれぞれＲ６、Ｒ４、ｄ２とするとき、（Ｒ５＋ｄ１−Ｒ２）と（Ｒ４―Ｒ６＋ｄ２）との差が、前記極細線の外径と略同一とされていることを特徴とする。
【００１２】
この極細線用挟ピッチ整列治具は、第一ローラ部と第二ローラ部とを互いに離間又は接近させることによって、第一ローラ部及び第二ローラ部の極細線への押付力を任意に調整することができる。従って、極細線の変形をより好適に抑えた状態で整列させることができる。
【発明の効果】
【００１３】
本発明によれば、挟ピッチの極細線であっても、第一軸部又は第二軸部に対する径方向及び軸方向の乱れを抑えて、所定のピッチで整列させることができる。
【発明を実施するための最良の形態】
【００１４】
本発明に係る第１の実施形態について、図１及び図２を参照して説明する。
本実施形態に係る極細線用挟ピッチ整列治具１は、複数本の極細線２を等間隔に整列させて保持する極細線用挟ピッチ整列治具であって、外径と軸方向の厚さとが互いに異なる円板状の第一大径シムリング（第一大径部）３及び第一小径シムリング（第一小径部）５と、第一大径シムリング３及び第一小径シムリング５が軸方向に交互に配される第一軸部６とを有する第一ローラ部７と、軸方向の厚さが第一大径シムリング３と略同一とされる円板状の第二小径シムリング８、及び、第二小径シムリング８と異なる外径とされるとともに軸方向の厚さが第一小径シムリング５と略同一とされる円板状の第二大径シムリング１０と、第一軸部６と略平行に配されて第二小径シムリング８及び第二大径シムリング１０が軸方向に交互に配された第二軸部１１とを有する第二ローラ部１２とを備えている。
【００１５】
第一小径シムリング５及び第二大径シムリング１０の軸方向の板厚が極細線２の外径と略同一とされ、第一大径シムリング３及び第二小径シムリング８の軸方向の板厚は、互いに略同一とされるとともに、第一小径シムリング５及び第二大径シムリング１０の軸方向の板厚よりも薄く形成されている。
【００１６】
第一軸部６に対して第一大径シムリング３及び第一小径シムリング５が同一軸線Ｃ１上に配され、第二軸部１１に対して第二小径シムリング８及び第二大径シムリング１０が同一軸線Ｃ２上に配されている。
第一ローラ部７及び第二ローラ部１２は、図示しないアームによって相対的に上下移動及び各々回転可能とされている。
【００１７】
第一大径シムリング３及び第一小径シムリング５の外径と軸方向の板厚とをそれぞれＲ１、Ｗ１、Ｒ２、Ｗ２とし、第二小径シムリング８及び第二大径シムリング１０の外径と軸方向の板厚とをそれぞれＲ３、Ｗ３、Ｒ４、Ｗ４とするとき、（Ｒ１−Ｒ２）−（Ｒ４−Ｒ３）が極細線２の外径と略同一とされている。
【００１８】
この際、第一小径シムリング５と第二大径シムリング１０とのそれぞれの外周面５Ａ、１０Ａが互いに対向して、第一ローラ部７と第二ローラ部１２とが噛合可能とされている。
即ち、外周面５Ａ、１０Ａと、第一小径シムリング５を間に挟んで隣接する第一大径シムリング３の互いに対向する側面３Ａ、３Ｂとの間に、極細線２を軸方向に挿通可能な複数の空間部１３が形成されている。
【００１９】
例えば、外径が０．１８ｍｍの極細線２をピッチ０．２ｍｍで整列する場合、Ｗ１＝Ｗ３＝０．０２ｍｍ、Ｗ２＝Ｗ４＝０．１８ｍｍとされる。また、（Ｒ１−Ｒ２）−（Ｒ４−Ｒ３）＝０．１８ｍｍとされる。
【００２０】
本実施形態に係る極細線用挟ピッチ整列治具１で極細線２を整列する場合には、第一ローラ部７及び第二ローラ部１２との間に形成される各空間部１３内に極細線２を一本ずつ挿入する。
この極細線用挟ピッチ整列治具１によれば、各空間部１３内に極細線２を挟み込むことによって、第一ローラ部７と第二ローラ部１２との間で極細線２を好適に挟み込んで支持することができる。
【００２１】
この際、図示しないアームにて空間部１３の径方向の高さを予め調整することによって、極細線２と外周面５Ａ、１０Ａ及び側面３Ａ、３Ｂとの間の隙間をそれぞれ一定とすることができ、極細線２に一定の押圧力を与えることができる。従って、極細線２の変形を抑え、無理な力をかけずに挟むことができ、第一軸部６又は第二軸部１１に対する径方向の極細線２の乱れのみならず、これらの軸方向の乱れも抑えて整列させることができる。
【００２２】
次に、第２の実施形態について図３から図５を参照しながら説明する。
なお、上述した第１の実施形態と同様の構成要素には同一符号を付すとともに説明を省略する。
第２の実施形態と第１の実施形態との異なる点は、本実施形態に係る極細線用挟ピッチ整列治具２０における第一ローラ部２１の第一大径シムリング２２の中心軸線Ｃ３が、第一軸部６の中心軸線Ｃ１から偏心して配され、第二ローラ部２３の第二小径シムリング２５の中心軸線Ｃ４が、第二軸部１１の中心軸線Ｃ２から偏心して配されているとした点である。
【００２３】
第一ローラ部２１及び第二ローラ部２３は、図示しないアームによって相対的に上下移動及び各々回転可能とされている。
従って、第一小径シムリング５と第二大径シムリング１０とのそれぞれの外周面５Ａ、１０Ａと、第一小径シムリング５を間に挟んで隣接する第一大径シムリング２２の互いに対向する側面２２Ａ、２２Ｂとの間に形成される複数の空間部２６の径方向の高さは、図示しないアーム操作による軸線Ｃ１と軸線Ｃ３、及び軸線Ｃ２と軸線Ｃ４との相対位置によって可変とされている。
【００２４】
第一大径シムリング２２の半径、第一小径シムリング５の半径、第一大径シムリング２２の第一軸部６に対する偏心量をそれぞれＲ５、Ｒ２、ｄ１とし、第二小径シムリング２５の半径、第二大径シムリング１０の半径、第二小径シムリング２５の第二軸部１１に対する偏心量をそれぞれＲ６、Ｒ４、ｄ２とするとき、（Ｒ５＋ｄ１−Ｒ２）と（Ｒ４―Ｒ６＋ｄ２）との差が、極細線２の外径と略同一となるように、図示しないアーム操作によって調整されて配されている。
【００２５】
例えば、上記第１の実施形態と同様の外径を有する極細線２の場合、第一大径シムリング２２及び第一小径シムリング８の軸方向の板厚はそれぞれＷ１、Ｗ２とされ、第二小径シムリング２５及び第二大径シムリング１０の軸方向の板厚はそれぞれＷ３、Ｗ４とされ、Ｗ１＝Ｗ３＝０．０２ｍｍ、Ｗ２＝Ｗ４＝０．１８ｍｍとされる。
また、（Ｒ５＋ｄ１−Ｒ２）―（Ｒ４―Ｒ６＋ｄ２）＝０．１８ｍｍとされる。
【００２６】
本実施形態に係る極細線用挟ピッチ整列治具２０で極細線２を整列する場合、第１の実施形態と同様に、空間部２６内に極細線２を一本ずつ挿入する。
この極細線用挟ピッチ整列治具によれば、第一ローラ部２１と第二ローラ部２３とを互いの相対的移動及び回転により離間又は接近させることによって、空間部２６の径方向の高さを０から任意の高さに調整することができ、第一ローラ部２１及び第二ローラ部２３による極細線２への押付力を任意の大きさに調整することができる。従って、極細線２の変形をより好適に抑えた状態で整列させることができる。
【００２７】
なお、本発明の技術範囲は上記実施の形態に限定されるものではなく、本発明の趣旨を逸脱しない範囲において種々の変更を加えることが可能である。
例えば、上記実施形態では、第一大径部及び第一小径部、第二大径部及び第二小径部を共に円板状のシムリングとしているが、形状はこれに限らず、多角形状板とされていても構わない。
【図面の簡単な説明】
【００２８】
【図１】本発明の第１の実施形態に係る極細線用挟ピッチ整列治具を示す斜視図である。
【図２】本発明の第１の実施形態に係る極細線用挟ピッチ整列治具を示す正面図である。
【図３】本発明の第２の実施形態に係る極細線用挟ピッチ整列治具を示す斜視図である。
【図４】本発明の第２の実施形態に係る極細線用挟ピッチ整列治具を示す正面図である。
【図５】本発明の第２の実施形態に係る極細線用挟ピッチ整列治具により極細線を整列する状態を示す説明図である。
【図６】従来の極細線用挟ピッチ整列治具を示す斜視図である。
【符号の説明】
【００２９】
１、２０  極細線用挟ピッチ整列治具
２  極細線
３、２２  第一大径シムリング（第一大径部）
５  第一小径シムリング（第一小径部）
６  第一軸部
７、２１  第一ローラ部
８、２５  第二小径シムリング（第二小径部）
１０  第二大径シムリング（第二大径部）
１１  第二軸部
１２、２３  第二ローラ部
【図１】
2006156082.tif 000003
【図２】
2006156082.tif 000004
【図３】
2006156082.tif 000005
【図４】
2006156082.tif 000006
【図５】
2006156082.tif 000007
【図６】
2006156082.tif 000008